(57)【要約】【課題】  コストダウンを図ることができ、しかも扉厚の変化にも対応し得る新規なコネクターを提供する。【解決手段】  シリンダ錠１のテールピース２とダルマ３との間に、コネクター本体１３を同軸にかつシリンダ錠の軸線回りを回動可能に配設し、このコネクター本体の中心軸線に沿って、かつコネクター本体を貫通するようにスリットを形成し、全体の形状が略Ｔ字形の連結板１７をスリットの他端側からスリット内に挿入し、そのＴ字の横棒と縦棒との間の連結板段部をスリット段部に係合させることにより、連結板の縦棒部先端のコネクター本体からの突出量を規制するようにし、他方、連結板の縦棒部先端をダルマ３に係合させると共に、スリットのシリンダ錠側の他端部にテールピース２を嵌挿し、このテールピースとスリット段部との間に連結板の上記横棒部分を挟持する。【選択図】  図１
2008223255.tif 000002
【特許請求の範囲】
【請求項１】
シリンダ錠とダルマとを同軸に配置したものにおいて、シリンダ錠の内筒の内端に突設された板状のテールピースとダルマとの間に、コネクター本体を同軸にかつシリンダ錠の軸線回りを回動可能に配設し、このコネクター本体の中心軸線に沿って、かつコネクター本体を貫通するようにスリットを形成し、このスリット内のダルマに近い一端側にスリット段部を形成する一方、全体の形状が略Ｔ字形の連結板をスリットの他端側からスリット内に挿入し、そのＴ字の横棒と縦棒との間の連結板段部をスリット段部に係合させることにより、連結板の縦棒部先端のコネクター本体からの突出量を規制するようにし、他方、連結板の縦棒部先端をダルマに係合させると共に、スリットのシリンダ錠側の他端部にテールピースを嵌挿し、このテールピースとスリット段部との間に連結板の上記横棒部分を挟持するようにしたことを特徴とするシリンダ錠のコネクター。
【発明の詳細な説明】
【技術分野】
【０００１】
この発明は、シリンダ錠内筒のテールピースと錠箱内の所謂ダルマとの連結部材（以下単にコネクターという）に係り、特に、コストダウンを図ることができ、しかも扉厚の変化にも対応し得る新規なコネクターに関する。
【背景技術】
【０００２】
通常、シリンダ錠１のテールピース２（図１参照）は、下記の特許文献１の図６乃至図９に示すように、直接ダルマと称されるクラッチ部材３と係合する。
【０００３】
このダルマは、略鼓形の開口が形成されており、この開口のシリンダ錠側にテールピースが遊動可能に係合し、一方、その裏側には、特許文献１の図２に示すように、断面十字形のサムターン軸が遊動できないように嵌合する。
【特許文献１】特開２００５−３１５０４７
【発明の開示】
【発明が解決しようとする課題】
【０００４】
ところで、図１に示すように、例えば扉厚が大きくてテールピース２とサムターン４のサムターン軸５との距離が大きいときには、その間にコネクターと称される連結部材をテールピース２と錠箱６内のダルマ３との間に介在させる。
【０００５】
従来のコネクター７は、図２及び図３に示すように、例えば短円柱体の一面に直径方向に延在するスリワリ８を、他面にスリワリ８と直交する板状の突出部９を夫々形成し、上記スリワリ８にシリンダ錠内筒のテールピースを嵌め込み、突出部９をダルマに係合させる。
【０００６】
しかして、図２及び図３に示すコネクターは、円柱体を削り出すのでコストがかかるし、また、扉厚に対応して短円柱体の長さを変化させたものを用意しなければならない、等未だ改良の余地がある。
【０００７】
そこで、この発明は、コストダウンを図ることができ、しかも扉厚の変化にも対応し得る新規なコネクターを提供することを目的としている。
【課題を解決するための手段】
【０００８】
上記の目的を達成するため、請求項１に記載の発明は、シリンダ錠とダルマとを同軸に配置したものにおいて、シリンダ錠の内筒の内端に突設された板状のテールピースとダルマとの間に、コネクター本体を同軸にかつシリンダ錠の軸線回りを回動可能に配設し、このコネクター本体の中心軸線に沿って、かつコネクター本体を貫通するようにスリットを形成し、このスリット内のダルマに近い一端側にスリット段部を形成する一方、全体の形状が略Ｔ字形の連結板をスリットの他端側からスリット内に挿入し、そのＴ字の横棒と縦棒との間の連結板段部をスリット段部に係合させることにより、連結板の縦棒部先端のコネクター本体からの突出量を規制するようにし、他方、連結板の縦棒部先端をダルマに係合させると共に、スリットのシリンダ錠側の他端部にテールピースを嵌挿し、このテールピースとスリット段部との間に連結板の上記横棒部分を挟持するようにしたことを特徴とする。
【発明の効果】
【０００９】
上記のように構成されたこの発明によるコネクターは、コネクター本体及び連結板の二つの部材を組合わせるようにし、これら二つの部材をコストが掛からないダイキャスト或いはプレス加工により製造できるようにしたので、コネクターのコストダウンを図ることができる。
【００１０】
また、連結板の長さ方向の寸法を変えることにより、扉厚の変化によるダルマとテールピースとの間隔の変化に対応することができる、等種々の効果を奏する。
【発明を実施するための最良の形態】
【００１１】
１個の部材で加工が困難だった従来のコネクターを旋削が可能なコネクター本体とプレス加工が可能な連結板の二つの部材を組合わせてコネクターを構成できるようにした。
【実施例１】
【００１２】
以下、この発明の一実施例を図面を参照して説明する。
図１において符号１１はシリンダ筒を示し、このシリンダ筒１１内に前記シリンダ錠１が収納されている。
【００１３】
なお、図示の実施例では扉面１２を貫通するシリンダ筒１１を介してシリンダ錠１が錠箱に接続されているが、シリンダ錠の扉面への装着或いは錠箱内のダルマへの接続は種々の手段が採用され、かつこれらの手段は夫々公知であるから更に詳細な説明は省略する。
【００１４】
なお、図示のシリンダ筒１１の左右方向の位置は、扉厚が小さい場合の扉面、すなわち図１で下方の符号１２で示された扉面に対応しているものとする。
【００１５】
上記シリンダ筒のダルマ３側の開口端部には、段付の回転体であるコネクター本体１３がシリンダ錠１の中心軸線と同軸に、かつ、シリンダ錠の中心軸線の回りを回動可能に配設されている。
【００１６】
図示の実施例では、図１に示すように、コネクター本体１３の大径部がシリンダ筒の開口端縁部内周面に摺接可能に嵌合しており、例えばスペーサリング１４によって抜け止めが施されている。
【００１７】
上記コネクター本体１３は、図４乃至図７に示すように、大体の形状が段付の筒体で、そのダルマ３側の一端部外周面に段部が形成されている。
【００１８】
また、コネクター本体１３の中心軸線に沿って、かつコネクター本体を貫通するようにスリット１５が形成されている。
【００１９】
このスリット１５の横断面形状の中心に形成された断面円形部は、コネクター本体を例えばダイキャストで製造するとき、スリットを形成する板状の中子の柄が通る部分である。
【００２０】
更にまた、スリット１５内のダルマ３に近い一端側にスリット段部１６（図４及び図５参照）が形成されている。
【００２１】
ちなみに、スリット１５内にスリット段部１６を形成するには、図４に白抜きで示したような段付の形状の中子を使用し、スリット内部は後加工せず、また、ダイキャスト後、コネクター本体の両端をたかだか旋削するのみで充分である。
【００２２】
一方、図１に示すように、全体の形状が略Ｔ字形の連結板１７が、スリット１５のシリンダ錠に近い他端側からスリット内に挿入されている。
【００２３】
この連結板１７は、図８に示すように、例えば全体の形状が略Ｔ字形（図示の実施例では横向きのＴ字形）の板状体で、そのＴ字の横棒と縦棒との間の連結板段部１８をスリット段部１６に係合させた状態でスリット１５内に挿入されている。
【００２４】
そして、他端側からＴ字の縦棒を挿入する態様で連結板１７をスリット１５内に挿入した後、他端側からシリンダ錠内筒のテールピース２をスリット１５内に挿入することにより、連結板１７のＴ字の横棒部分がスリット段部１６とテールピース２との間に挟持される。
【００２５】
このようにしてコネクター本体１３と連結板１７とは一体的に連結されると共に、シリンダ錠内筒にも連結されることになる。
【００２６】
また、連結板１７の長さ、すなわち、図８における連結板１７の長さを扉厚に応じて適切に設定し、図１に示す組立状態において連結板１７の縦棒部先端がダルマに係合できるようにする。
【００２７】
上記のように構成された本発明の一実施例によるコネクターは、合鍵を用いてシリンダ錠の内筒を回動させると、コネクターも一体的に回動し、連結板１７を介してダルマ３を制御できる。
【００２８】
また、扉厚が変化したときには、連結板１７の長さを調節すれば、シリンダ錠とダルマとを適宜連結することができる。
【００２９】
例えば、扉厚が大きくなってシリンダ錠１が図１で右方に移動したときには、連結板１７をその分長くすれば、安価な連結板の交換によりコネクターを扉厚の変化に対応させることができる。
【図面の簡単な説明】
【００３０】
【図１】この発明の一実施例によるコネクターを装着した錠前の断面図。
【図２】従来のコネクターの一例を示す平面図。
【図３】その側面図。
【図４】コネクター本体の縦断面図。
【図５】シリンダ錠側から見たコネクター本体の正面図。
【図６】ダルマ側から見たコネクター本体の裏面図。
【図７】コネクター本体の側面図。
【図８】連結板の平面図。
【符号の説明】
【００３１】
１  シリンダ錠
２  テールピース
３  ダルマ
４  サムターン
５  サムターン軸
６  錠箱
７  コネクター
８  スリワリ
９  突出部
１１  シリンダ筒
１２  扉面
１３  コネクター本体
１４  スペーサリング
１５  スリット
１６  スリット段部
１７  連結板
１８  連結板段部
【図１】
2008223255.tif 000003
【図２】
2008223255.tif 000004
【図３】
2008223255.tif 000005
【図４】
2008223255.tif 000006
【図５】
2008223255.tif 000007
【図６】
2008223255.tif 000008
【図７】
2008223255.tif 000009
【図８】
2008223255.tif 000010